(57)【要約】【課題】点検者の高い注意力を維持することができ、点検の信頼性を高めることが可能なエレベータの停電灯点検システムを提供することである。【解決手段】停電灯点検システム６０は、点検スイッチ３１と、制御装置６１と、遠隔監視部６２と、携帯電話６３とで構成され、制御装置６１は、停電灯点検手段３５と、受付時間内に操作されたかごドア開閉釦１８の操作信号に基づいて停電灯２０の異常の有無を判定する判定手段３６と、バッテリー点検手段３７と、点検データを記憶部に保存するデータ保存手段３８と、通報手段６４とを含む。そして、判定手段３６は、受付時間にかごドア開閉釦１８の操作信号が取得されない場合には点検が未完了であると判定し、バッテリー点検手段３７は、点検が未完了であることを記憶部３３に保存する。また、遠隔監視部６２は、登録手段６５と、メール送信手段６６とを含む。【選択図】図３
2012153448.tif 000002
【特許請求の範囲】
【請求項１】
点検スイッチと、
記憶部を含み、点検スイッチが操作されたときに停電灯を試験点灯させる制御装置と、
を備えたエレベータの停電灯点検システムにおいて、
制御装置は、
停電灯の試験点灯中又は試験点灯終了時のかご内操作盤の操作信号に基づいて、停電灯の異常の有無を判定する判定手段と、
判定された異常の有無を含む点検データを記憶部に保存するデータ保存手段と、
を含むことを特徴とするエレベータの停電灯点検システム。
【請求項２】
請求項１に記載のエレベータの停電灯点検システムにおいて、
判定手段は、試験点灯中又は試験点灯終了時にかご内操作盤の操作信号が取得されない場合に、点検が未完了であると判定し、
データ保存手段は、点検が未完了であることを記憶部に保存することを特徴とするエレベータの停電灯点検システム。
【請求項３】
請求項１又は２に記載のエレベータの停電灯点検システムにおいて、
制御装置は、試験点灯中又は試験点灯終了時にかご内操作盤の操作信号を取得した場合に、停電灯に電力を供給するバッテリーの電圧を測定することを特徴とするエレベータの停電灯点検システム。
【請求項４】
請求項１〜３のいずれか１に記載のエレベータの停電灯点検システムにおいて、
制御装置に接続され、記憶部から保存されたデータを取得可能な遠隔監視部と、
遠隔監視部と無線接続され、点検者が携帯可能な無線通信端末と、
を備え、
遠隔監視部は、
制御装置から登録信号を取得したときに、点検作業を登録する登録手段と、
登録から所定時間経過後に登録された点検作業に係る停電灯の点検データが記憶部に存在しない場合、又は記憶部から点検未完了のデータを取得した場合に、点検が未完了であることを無線通信端末に通知する通知手段と、
を含むことを特徴とするエレベータの停電灯点検システム。
【請求項５】
請求項１〜３のいずれか１に記載のエレベータの停電灯点検システムにおいて、
制御装置に接続され、記憶部から保存されたデータを取得可能な遠隔監視部を備え、
制御装置は、停電灯の異常を示す点検データが記憶部に存在する場合又は予め設定された期間内の点検データが記憶部に存在しない場合に、遠隔監視部に対して、停電灯異常の通報又は停電灯点検未実施の通報を行う通報手段を含むことを特徴とするエレベータの停電灯点検システム。
【発明の詳細な説明】
【技術分野】
【０００１】
本発明は、エレベータの停電灯点検システムに関し、より詳しくは、点検スイッチと、記憶部を含み、点検スイッチが操作されたときに停電灯を試験点灯させる制御装置とを備えたエレベータの停電灯点検システムに関する。
【背景技術】
【０００２】
エレベータの乗りかご内には、停電時に点灯する停電灯が設置されている。停電灯は、メイン電源とは異なる電源、具体的には、乗りかごに設置されたバッテリーから電力が供給されるため、停電時においても点灯させることが可能である。つまり、停電灯は、停電により通常運転時に使用される照明装置への電力供給がストップした場合に、バッテリーから電力が供給されて点灯する照明装置である。
【０００３】
一般的に、停電灯には、３０分以上継続して点灯可能であること、そして、点灯中の照度が基準値以上であること（照度が変化しないこと）が要求される。したがって、エレベータの保守点検時には、停電灯が当該要求を満たして正常に動作することが確認される。しかし、従来の点検では、停電灯の試験点灯時間が１０秒程度と短いため、より試験点灯時間を長くて点検の信頼性を高めたいという要求がある。
【０００４】
なお、本発明に関連する技術として、乗場にいる乗客が点検札の表示を視認可能な位置まで点検札を三方枠外に突出させるように、点検札を移動させる点検札移動手段を備え、点検札移動手段は、点検者が携帯電話で遠隔監視センターに保守点検作業の開始時および終了時に送信するメール通報を受けて、遠隔監視センターから送信される指令に応じて作動されるエレベータ保守点検用システムが特許文献１に開示されている。
【先行技術文献】
【特許文献】
【０００５】
【特許文献１】特開２００９‐２８６５０３号公報
【発明の概要】
【発明が解決しようとする課題】
【０００６】
停電灯の試験点灯時間を長くすることにより、点検の信頼性をより向上させることができる。しかしながら、点検時間を長くすると点検者の注意力が低下するなどの問題が懸念され、例えば、照度低下等の異常を見落としてしまうことが考えられる。
【０００７】
即ち、本発明の目的は、停電灯の試験点灯時間を長くした場合であっても、点検者の高い注意力を維持することができ、点検の信頼性を高めることが可能なエレベータの停電灯点検システムを提供することである。また、本発明の他の目的は、長期間にわたる停電灯の点検漏れを防止することが可能なエレベータの停電灯点検システムを提供することである。
【課題を解決するための手段】
【０００８】
本発明に係るエレベータの停電灯点検システムは、点検スイッチと、記憶部を含み、点検スイッチが操作されたときに停電灯を試験点灯させる制御装置と、を備えたエレベータの停電灯点検システムにおいて、制御装置は、停電灯の試験点灯中又は試験点灯終了時のかご内操作盤の操作信号に基づいて、停電灯の異常の有無を判定する判定手段と、判定された異常の有無を含む点検データを記憶部に保存するデータ保存手段とを含むことを特徴とする。
当該構成によれば、停電灯の試験点灯中又は試験点灯終了時に、かご内操作盤の操作を点検者に要求することで、停電灯の試験点灯時間を長くした場合であっても点検者の高い注意力を維持することができ、点検の信頼性を向上させることが可能になる。また、かご内操作盤の操作を行うことで点検結果が自動的に記憶されるので、点検結果の記録漏れを防止できる。
【０００９】
また、制御装置の判定手段は、試験点灯中又は試験点灯終了時にかご内操作盤の操作信号が取得されない場合に、点検が未完了であると判定し、データ保存手段は、点検が未完了であることを記憶部に保存する構成であることが好ましい。
当該構成によれば、点検者がかご内操作盤の操作を怠った場合には点検未完了とし、その情報を記憶部に保存することができる。
【００１０】
また、制御装置は、試験点灯中又は試験点灯終了時にかご内操作盤の操作信号を取得した場合に、停電灯に電力を供給するバッテリーの電圧を測定する設定としてもよい。
【００１１】
また、本発明に係るエレベータの停電灯点検システムは、制御装置に接続され、記憶部から保存されたデータを取得可能な遠隔監視部と、遠隔監視部に無線接続され、点検者が携帯可能な無線通信端末とを更に備え、遠隔監視部は、制御装置から登録信号を取得したときに、点検作業を登録する登録手段と、登録から所定時間経過後に登録された点検作業に係る停電灯の点検データが記憶部に存在しない場合、又は記憶部から点検未完了のデータを取得した場合に、点検が未完了であることを無線通信端末に通知する通知手段とを含む構成とすることができる。
【００１２】
また、本発明に係るエレベータの停電灯点検システムは、制御装置に接続され、記憶部から保存されたデータを取得可能な遠隔監視部を更に備え、制御装置は、停電灯の異常を示す点検データが記憶部に存在する場合又は予め設定された期間内の点検データが記憶部に存在しない場合に、遠隔監視部に対して、停電灯異常の通報又は停電灯点検未実施の通報を行う通報手段を含む構成とすることができる。
【発明の効果】
【００１３】
本発明に係るエレベータの停電灯点検システムによれば、点検者の注意力を高めることができ、点検精度をより向上させることが可能になる。また、点検が未完了であることを点検者に知らせることで、長期間にわたる点検漏れを防止することができる。
【図面の簡単な説明】
【００１４】
【図１】本発明の第１実施形態であるエレベータの停電灯点検システムの概略構成を示す図である。
【図２】第１実施形態であるエレベータの停電灯点検システムの制御手順を示すフローチャートである。
【図３】本発明の第２実施形態であるエレベータの停電灯点検システムの概略構成を示す図である。
【図４】第２実施形態であるエレベータの停電灯点検システムの制御手順を示すフローチャートである。
【発明を実施するための形態】
【００１５】
図面を用いて、本発明に係るエレベータの停電灯点検システムの実施形態につき、以下詳細に説明する。なお、実施形態では、上部機械室１３を有するロープ式のエレベータ１０において、乗りかご１２に設置された停電灯２０及び停電灯２０に電力を供給するバッテリー２１の点検を行う停電灯点検システム３０，６０として説明する。
【００１６】
＜第１実施形態＞
図１及び図２を参照して、第１実施形態を詳細に説明する。
図１に示すように、停電灯点検システム３０は、エレベータ１０に設置されるシステムであって、エレベータ１０の一部を構成している。停電灯点検システム３０は、点検スイッチ３１と、点検スイッチ３１が操作されたときに停電灯２０を試験点灯させる制御装置３２とで構成されている。なお、制御装置３２は、エレベータ１０の全体を制御する装置であって、停電灯点検システム３０としての制御機能を含むものとして説明する。
【００１７】
まず、エレベータ１０の概略構成について説明する。
図１に示すように、エレベータ１０は、昇降路１１内において、乗りかご１２が各階床に設置された乗場（図示せず）の間を昇降する昇降機構部と、その動作を制御する制御装置３２とで構成されている。なお、乗場は、乗りかご１２に乗降するための場所であって、通常、各階床に設けられている。乗場の壁面には、乗場ドアや制御装置３２に接続された乗場操作盤が設置されている。
【００１８】
昇降路１１は、乗りかご１２の昇降通路であって、その最下部には、緩衝器等が設置されたピットが設けられ、その天井裏には、上部機械室１３が設けられている。そして、上部機械室１３には、巻上げ機１４や制御装置３２が設置されている。巻上げ機１４のシーブには、一端が乗りかご１２の上部、他端がカウンターウエイトに連結された主ロープ１５が巻回されており、巻上げ機１４の駆動により主ロープ１５が巻上げられ又は送り出されて、乗りかご１２が昇降路１１内を昇降することになる。
【００１９】
乗りかご１２は、利用者が乗り込むことのできる室内スペースを有し、巻上げ機１４の駆動により昇降路１１内を昇降する。乗りかご１２内の壁面には、制御装置３２と接続されたかご内操作盤１６が設置されている。そして、かご内操作盤１６には、行き先階登録釦１７、かごドア開閉釦１８、及び点検スイッチ３１等が設けられている。また、乗りかご１２には、図示しないかごドアやかごドア開閉装置、照明装置１９、停電灯２０、停電灯２０に電力を供給するバッテリー２１等が設置されている。
【００２０】
かごドア開閉釦１８は、かごドアを開閉するための釦であって、開釦２２と閉釦２３とで構成されている。上記のように、かご内操作盤１６は、制御装置３２に接続されているので、開釦２２及び閉釦２３の操作信号は、例えば、制御装置３２を介して、かごドア開閉装置に送信される。そして、かごドア開閉装置は、当該操作信号に基づいて、かごドアを開扉又は閉扉する。また、かごドア開閉釦１８は、詳しくは後述するように、停電灯２０の点検時にも使用される。
【００２１】
照明装置１９は、乗りかご１２内を照らす機能を有し、例えば、乗りかご１２内の天井に設置されている。一般的に、照明装置１９は、乗りかご１２内に利用者が乗っているときに点灯され、乗りかご１２内に利用者がいないときには消灯されている。なお、照明装置１９には、巻上げ機１４やかごドア開閉装置などの設備と同様に、図示しないメイン電源から電力が供給されている。ゆえに、停電によりメイン電源からの電力供給がストップすると、乗りかご１２内に利用者が乗っていても照明装置１９は消灯する。
【００２２】
停電灯２０は、停電発生時に点灯する照明装置であって、乗りかご１２に設置されたバッテリー２１から電力が供給されることで点灯する。即ち、停電灯２０は、停電発生時において、照明装置１９に代わって乗りかご１２内を照らす機能を有する。なお、停電発生時には、通常、乗りかご１２の昇降がストップするので、停電灯２０には、３０分以上継続して点灯可能であること、点灯中の照度が基準値以上である等が要求される。
【００２３】
以下、停電灯点検システム３０の構成を具体的に説明する。
【００２４】
停電灯点検システム３０は、上記のように、点検スイッチ３１と、制御装置３２とで構成される。点検スイッチ３１は、停電灯２０の点検作業を実施するときに操作されるスイッチであって、例えば、かご内操作盤１６のキーボックス内に設けられている。なお、点検スイッチ３１としては、所謂、上下灯スイッチ等の既設のスイッチを利用することができる。点検スイッチ３１を操作すると、自動運転モードから保守点検モードに切り換えることができ、例えば、乗場呼びに応答しなくなり、図示しない乗りかご１２の上下灯が点灯すると同時に、照明装置１９が一時的に消灯して停電灯２０が試験点灯する。
【００２５】
制御装置３２は、停電灯点検システム３０を含む、エレベータ１０の各構成要素を統一的に制御する装置である。制御装置３２は、停電灯点検システム３０の制御手段として、停電灯点検手段３５と、判定手段３６と、バッテリー点検手段３７と、データ保存手段３８とを含む。なお、制御装置３２は、ＣＰＵと、制御パラメータや制御プログラムを記憶する記憶部３３と、制御パラメータ等の入力に用いられる入力部（例えば、制御装置操作盤３４）と、入出力ポートなどを備えるコンピュータであり、上記各手段の機能はソフトウェアを実行することで実現できる。
【００２６】
制御装置３２の記憶部３３は、制御パラメータや制御プログラムを記憶していると共に、停電灯点検システム３０による点検データ等を記憶する機能を有し、一般的なメモリ装置から構成することができる。なお、制御プログラム等を記憶するメモリ装置と、点検データを記憶するメモリ装置とを分けて構成することもできる。
【００２７】
停電灯点検手段３５は、点検スイッチ３１が操作されたときに停電灯２０を試験点灯させる機能を有する。例えば、制御装置操作盤３４は、点検スイッチ３１の操作信号を取得したときに、照明装置１９を消灯して停電灯２０を点灯させる。停電灯２０の試験点灯時間としては、例えば、１分間以上（６０秒以上）に設定される。本実施形態では、試験点灯時間が７０秒であり、６０秒経過時点で後述の第１発信音が鳴動し、７０秒経過時点（つまり試験点灯終了時点）で停電灯２０を消灯して照明装置１９を点灯させる。
【００２８】
判定手段３６は、停電灯２０の試験点灯中又は試験点灯終了時のかご内操作盤１６の操作信号に基づいて、停電灯２０の異常の有無を判定する機能を有する。例えば、判定手段３６は、停電灯２０の試験点灯中又は試験点灯終了時に、第１発信音を鳴動させて点検者にかご内操作盤１６の操作のタイミングを知らせ、かご内操作盤１６の操作信号を取得する。第１発信音を鳴動させるタイミングとしては、試験点灯の終了間際（例えば、試験点灯時間が７０秒の場合、６０秒経過時点）や試験点灯終了時点であることが好ましい。そして、判定手段３６が、かご内操作盤１６の操作信号を取得する時間、即ち判定手段３６によって操作信号が受け付けられる時間（以下、受付時間とする）は、例えば、第１発信音の鳴動後数秒以内に設定される。ゆえに、点検者は受付時間内にかご内操作盤１６を操作する必要がある。
【００２９】
なお、停電灯２０に異常がないとき及び異常があるときにそれぞれ操作されるべきかご内操作盤１６の釦等が予め設定されており、判定手段３６は、どの釦等が操作されたかを特定することで異常の有無を判定する。判定手段３６は、例えば、かごドア開閉釦１８の開釦２２の操作信号を取得したときには異常なしと判定し、閉釦２３の操作信号を取得したときには異常ありと判定する。この場合は、開釦２２が正常時（異常がないとき）に操作される釦、閉釦２３が異常時に操作される釦として予め設定されている。一方、判定手段３６は、受付時間内に、かごドア開閉釦１８の操作信号が取得されないときには、点検が未完了であると判定する。
【００３０】
バッテリー点検手段３７は、上記かごドア開閉釦１８の操作信号を取得したときに、停電灯２０に電力供給中のバッテリー２１の電圧を測定する機能を有する。バッテリー２１には、例えば、図示しない電圧計が設置されており、バッテリー点検手段３７は、かごドア開閉釦１８の操作信号を取得することを条件として電圧計の検出値を取得する。そして、取得した検出値と予め設定された基準値範囲とを比較して、検出値が基準範囲内にあるか否かを判定する。更に、バッテリー点検手段３７は、検出値が基準範囲内にあり異常がないと判定したときには、第２発信音を鳴動させ、検出値が基準範囲外にあり異常があると判定したときには、第３発信音を鳴動させて、点検者に異常の有無を知らせる機能を有する。なお、第１〜第３発信音は、区別可能な音であれば特に限定されず、例えば、既設のかご内スピーカ等を利用して出力することができる。
【００３１】
データ保存手段３８は、判定手段３６によって判定された停電灯２０の異常の有無を含む点検データを記憶部３３に保存する機能を有する。また、データ保存手段３８は、判定手段３６によって点検が未完了であると判定されたときには、点検が未完了であることを記憶部３３に保存する。保存されるデータとしては、停電灯２０の異常の有無やバッテリー電圧の異常の有無、点検日時等が挙げられる。また、照度のレベル（例えば、行き先階登録釦１７を用いて設定）や電圧値等を保存してもよい。
ここで、保存されるデータを例示する。
（例１）２０１０年１０月２０日
電灯点灯状態・照度：正常        バッテリー電圧：正常
（例２）２０１０年１０月３０日
電灯点灯状態・照度：異常        バッテリー電圧：正常
（例３）２０１０年１０月１０日
電灯点灯状態・照度：未完了      バッテリー電圧：−
【００３２】
ここで、図２のフローチャートを参照して、停電灯点検システム３０による制御手順を例示する。
【００３３】
まず初めに、点検スイッチ３１の操作信号を取得し（Ｓ１０）、停電灯２０を７０秒間試験点灯させる（Ｓ１１）。Ｓ１０及びＳ１１の手順は、停電灯点検手段３５の機能によって実行される。つまり、停電灯点検手段３５は、点検スイッチ３１が操作されたか否かを判定して、点検スイッチ３１が操作されたときに停電灯２０を試験点灯させる。また、試験点灯中は、停電灯２０の照度を確認し易くするために照明装置１９を消灯することが好ましい。
【００３４】
次に、試験点灯開始から６０秒経過した時点で第１発信音を出力する（Ｓ１２）。そして、第１発信音の鳴動後、受付時間内にかごドア開閉釦１８の操作信号を取得する（Ｓ１３）。かごドア開閉釦１８の操作信号を取得したときには、開釦２２又は閉釦２３のいずれの操作に基づく操作信号であるかを識別して（Ｓ１４）、開釦２２の操作信号を取得したときは異常なしと判定し（Ｓ１５）、閉釦２３の操作信号を取得したときは異常ありと判定する（Ｓ１６）。つまり、点検者は、停電灯２０の照度等に異常がないと判断したときには開釦２２を操作し、照度等に異常があると判断したときには閉釦２３を操作する。  一方、受付時間内にかごドア開閉釦１８の操作信号を取得しないときには、点検が未完了であると判定する（Ｓ１７）。なお、Ｓ１２〜Ｓ１７の手順は、判定手段３６の機能によって実行される。
【００３５】
次に、停電灯２０の試験点灯の点検データ（点検結果）を記憶部３３に保存する（Ｓ１８）。また、点検未完了の判定がなされたときには、上記例３に示すように、点検未完了のデータを記憶部３３に記憶する（Ｓ１９）。なお、Ｓ１８及びＳ１９の手順は、データ保存手段３８の機能によって実行される。
【００３６】
次に、かごドア開閉釦１８が操作されたことを条件として、バッテリー２１の電圧を測定する（Ｓ２０）。この手順は、バッテリー点検手段３７の機能によって実行される。バッテリー点検手段３７は、かごドア開閉釦１８の操作信号を取得し、バッテリー２１に設置された電圧計からバッテリー電圧を取得する。そして、バッテリー電圧が予め設定された基準範囲内であるか否かを判定し（Ｓ２１）、異常がないと判定したときには第２発信音を出力し（Ｓ２２）、異常があると判定したときには第３発信音を出力する（Ｓ２３）。このようにして、バッテリー電圧の異常の有無を点検者に知らせることができる。なおＳ２１〜Ｓ２３の手順も、バッテリー点検手段３７の機能によって実行される。
【００３７】
最後に、データ保存手段３８の機能によってバッテリー電圧の異常の有無を記憶部３３に保存する（Ｓ２４）。なお、Ｓ１４〜Ｓ１８の手順とＳ２０〜Ｓ２４の手順とは、同時に実行することができ、またＳ１８及びＳ２４のデータ保存手順は１つの手順として実行することもできる。
【００３８】
以上のように、停電灯点検システム３０は、点検スイッチ３１の操作に基づいて停電灯２０の試験点灯を実行する停電灯点検手段３５と、停電灯２０の試験点灯終了間際に発信音を出力して点検者にかごドア開閉釦１８の操作を促し、受付時間内に操作されたかごドア開閉釦１８の操作信号に基づいて停電灯２０の異常の有無を判定する判定手段３６と、かごドア開閉釦１８が操作信号を取得したときにバッテリー２１の電圧を測定するバッテリー点検手段３７と、判定された異常の有無を含む点検データを記憶部に保存するデータ保存手段３８と、を含む制御装置３２を備える。
また、判定手段３６は、受付時間にかごドア開閉釦１８の操作信号が取得されない場合には、点検が未完了であると判定し、バッテリー点検手段３７は、点検が未完了であることを記憶部３３に保存する。
【００３９】
上記構成を備える停電灯点検システム３０によれば、停電灯２０の試験点灯終了間際に、かごドア開閉釦１８の操作を点検者に要求することで、試験点灯時間を長くした場合であっても点検者の高い注意力を維持することができ、点検の信頼性を向上させることが可能になる。また、点検者がかごドア開閉釦１８の操作を怠った場合には点検未完了とし、その情報を記憶部３３に保存することで、長期間にわたる点検漏れを防止できる。
【００４０】
なお、上記では、バッテリー点検手段３７は、かごドア開閉釦１８の操作信号を取得したときにバッテリー電圧を測定するものとして説明したが、かごドア開閉釦１８の操作に関らず、例えば、点検スイッチ３１の操作信号を取得することを条件としてバッテリー電圧を測定してもよい。
【００４１】
また、上記では、かごドア開閉釦１８を利用して停電灯２０の異常を判定するものとして説明したが、かご内操作盤１６に停電灯２０の点検に係る専用スイッチ等を設けて、当該専用スイッチの操作に基づき種々の制御手順を実行してもよい。或いは、かごドア開閉釦１８以外の既存設備を利用してもよい。
【００４２】
＜第２実施形態＞
図３及び図４を参照して、第２実施形態を詳細に説明する。
なお、第２実施形態において、第１実施形態と同一の構成要素については、同一の符号を付して重複する説明を省略する。
【００４３】
図３に示すように、停電灯点検システム６０は、エレベータ５０に設置されたシステムであって、点検スイッチ３１と、制御装置６１と、制御装置６１に接続された遠隔監視部６２と、遠隔監視部６２と無線通信可能な無線通信端末である携帯電話６３とで構成されている。そして、制御装置６１は、停電灯点検手段３５、判定手段３６、バッテリー点検手段３７、及びデータ保存手段３８に加え、通報手段６４を含む。また、遠隔監視部６２は、登録手段６５と、メール送信手段６６とを含む。
【００４４】
遠隔監視部６２としては、エレベータ１０を含む管轄地域内に設置された指定のエレベータ等を一括して監視する遠隔監視センター（遠隔監視センターのコンピュータ）が例示できる。遠隔監視部６２は、制御装置６１に接続され、その記憶部３３に保存されたデータを取得可能である。また、遠隔監視部６２は、制御装置操作盤３４の操作信号等を取得することもでき、点検者が点検作業時に携帯する携帯電話６３に各種情報を送信することもできる。
【００４５】
携帯電話６３は、遠隔監視センターと点検者との連絡を可能にするため、点検作業に出向く点検者は通常所持している。携帯電話６３としては、遠隔監視部６２と無線通信可能であり、点検作業時に携帯できるものであれば特に限定されない。
【００４６】
通報手段６４は、停電灯２０の異常を示す点検データが記憶部３３に存在する場合又は予め設定された期間内（例えば、最近６ヶ月間）の点検データが記憶部３３に存在しない場合に、遠隔監視部６２に対して、停電灯異常の通報又は停電灯点検未実施の通報を行う機能を有する。なお、バッテリー２１の電圧の異常についても通報対象にできるが、バッテリー電圧については、現場での確認作業が必ずしも必要ではないため、遠隔監視部６２により遠隔監視することもできる。
【００４７】
登録手段６５は、例えば、制御装置操作盤３４で登録操作がなされたときに当該操作による操作信号を取得して、操作信号が取得されたエレベータ５０の点検作業を登録する機能を有する。制御装置操作盤３４には、所謂メンテスイッチと呼ばれるスイッチが設置されており、当該スイッチの操作信号を取得した登録手段６５は、遠隔監視部６２による遠隔監視を休止し、エレベータ５０が点検作業中であることを登録する。なお、点検者により作業終了予定時間も登録され、当該作業終了予定時間を経過した場合又は点検作業の終了登録がなされた場合には、遠隔監視部６２による遠隔監視が復旧される。
【００４８】
メール送信手段６６は、点検が未完了であることを携帯電話６３に通知する通知手段である。具体的に、メール送信手段６６は、上記点検作業の登録から所定時間経過後、つまり作業終了予定時間を経過したとき又は点検作業の終了登録がなされたときに、記憶部３３に保存されたデータを取得する。そして、メール送信手段６６は、記憶部３３から点検未完了のデータを取得した場合、或いは登録された点検作業に係る停電灯２０の点検データが記憶部３３に存在しない場合に、点検が未完了であることを点検者の携帯電話６３にメールで通知する。なお、通知手段としては、メール送信以外の手段、例えば、携帯電話６３に電話をかけて点検が未完了であることを通知することもできる。
【００４９】
ここで、図４のフローチャートを参照して、停電灯点検システム６０による制御手順を例示する。なお、Ｓ１２〜Ｓ２６の手順は、図２に示す停電灯点検システム３０による制御手順（Ｓ１０〜Ｓ２４）と同じであるから、以下では、その説明を省略する。
【００５０】
まず初めに、制御装置操作盤３４のメンテスイッチの操作信号を取得し（Ｓ１０）、点検作業の登録を行う（Ｓ１１）。Ｓ１０及びＳ１１の手順は、遠隔監視部６２の登録手段６５の機能によって実行される。つまり、登録手段６５は、制御装置操作盤３４のメンテスイッチが操作されたか否かを判定して、メンテスイッチが操作されたときに遠隔監視を休止し、エレベータ５０が点検作業中であることを登録する。
【００５１】
そして、Ｓ１４で第１発信音が鳴動してから受付時間内にかごドア開閉釦１８が操作されず、点検未完了のデータが記憶部３３に保存された場合であって（Ｓ１５，Ｓ１９，Ｓ２１）、遠隔監視が復旧されるときに、点検が未完了であることを点検者の携帯電話６３にメールで通知する（Ｓ２７）。Ｓ２７の手順は、メール送信手段６６の機能によって実行され、当該手順により、点検が未完了であることを点検者に知らせて、再点検を促すことができる。
【００５２】
また、点検作業登録の有無に関わらず、例えば、６ヶ月以内の点検データが記憶部３３に存在しない場合、又は停電灯２０の異常を示す点検データが記憶部３３に保存されている場合には、遠隔監視部６２にその内容を通報する（Ｓ２８，Ｓ２９）。この手順は、通報手段６４の機能によって実行され、当該手順により、長期間にわたる点検漏れを防止することができる。
【００５３】
なお、上記では、いずれの実施形態においても、バッテリー点検手段３７を備えるものとして説明したが、例えば、停電灯点検システム６０は、バッテリー点検手段３７を備えない構成であってもよい。
【符号の説明】
【００５４】
１０，５０  エレベータ、１１  昇降路、１２  乗りかご、１３  上部機械室、１４  巻上げ機、１５  主ロープ、１６  かご内操作盤、１７  行き先階登録釦、１８  かごドア開閉釦、１９  照明装置、２０  停電灯、２１  バッテリー、２２  開釦、２３  閉釦、３０，６０  停電灯点検システム、３１  点検スイッチ、３２，６１  制御装置、３３  記憶部、３４  制御装置操作盤、３５  停電灯点検手段、３６  判定手段、３７  バッテリー点検手段、３８  データ保存手段、６２  遠隔監視部、６３  携帯電話、６４  通報手段、６５  登録手段、６６  メール送信手段。
【図１】
2012153448.tif 000003
【図２】
2012153448.tif 000004
【図３】
2012153448.tif 000005
【図４】
2012153448.tif 000006